(57)【要約】      （修正有）【課題】複数の画像形成装置を通常モードに復帰させてしまうことによる消費電力の増加を防止する画像形成装置を提供する。【解決手段】第２の検知領域に人が入ったことが検出された場合に、画像形成装置の省電力モードを解除して通常モードに変更する画像形成システムにおいて、ともに省電力モードに設定されている複数の画像形成装置の第２の検知領域が重複する重複領域に人が入ったと判断した場合、複数の画像形成装置の優先使用度に応じていずれか１つの画像形成装置を省電力モードから通常モードに変更させ、該画像形成装置以外の他の画像形成装置は省電力モードを維持させる。【選択図】図５
2016093981.tif 000002
【特許請求の範囲】
【請求項１】
画像形成部と、
前記画像形成部で画像形成可能な電力を供給する通常モードと、該通常モードよりも消費電力が低い省電力モードを少なくとも含む複数の電力供給モードの中から何れかの電力供給モードを設定する電力供給部と、
をそれぞれ備えた複数の画像形成装置と、
前記画像形成装置に対する人の位置を検出する検出部と、
前記複数の画像形成装置の優先使用度を保持するメモリと、
前記省電力モードのときに、それぞれの前記画像形成装置を含む領域として該画像形成装置の外側に設定された第２の検知領域に人が入ったことが検出された場合、人が入ったことが検出された該画像形成装置について、前記電力供給部を制御することで前記通常モードに変更する制御部と、を備えた画像形成システムであって、
前記制御部は、前記検出部の検出に基づいて、ともに前記省電力モードに設定されている前記複数の画像形成装置の前記第２の検知領域が重複する重複領域に人が入ったと判断した場合、前記複数の画像形成装置の優先使用度に応じていずれか１つの画像形成装置を前記省電力モードから前記通常モードに変更させ、該画像形成装置以外の他の画像形成装置は前記省電力モードを維持させる、画像形成システム。
【請求項２】
それぞれの前記画像形成装置は、自装置の外側の床面方向に光を照射する光照射部を備え、
前記制御部は、前記第２の検知領域の外側に設定した第１の検知領域に人が入ったことが検出された場合、前記光照射部により前記第２の検知領域の範囲を示すように光を照射させる、請求項１に記載の画像形成システム。
【請求項３】
前記画像形成装置の消耗品の残量または交換部品の使用量に応じて、前記優先使用度を変更する、請求項１または請求項２に記載の画像形成システム。
【請求項４】
画像形成部と、
前記画像形成部で画像形成可能な電力を供給する通常モードと、該通常モードよりも消費電力が低い省電力モードを少なくとも含む複数の電力供給モードの中から何れかの電力供給モードを設定する電力供給部と、
をそれぞれ備えた複数の画像形成装置と、
前記画像形成装置に対する人の接近を検出する検出部と、
前記省電力モードのときに、前記検出部により前記画像形成装置に対する人の接近が検出された場合、人の接近が検出された該画像形成装置について、前記電力供給部を制御することで前記通常モードに変更する制御部と、を備えた画像形成システムであって、
前記制御部は、前記複数の画像形成装置がともに前記省電力モードのときに、該複数の画像形成装置について同時に人の接近を検出した場合には、いずれの画像形成装置も前記省電力モードを維持させ、いずれか１つの画像形成装置のみについて人の接近を検出した場合には、該１つの画像形成装置の電力供給モードを前記通常モードに変更させる制御部と、
を備える画像形成システム。
【請求項５】
画像形成部と、
前記画像形成部で画像形成可能な電力を供給する通常モードと、該通常モードよりも消費電力が低い省電力モードを少なくとも含む複数の電力供給モードの中から何れかの電力供給モードを設定する電力供給部と、
優先使用度を保持するメモリと、
通信部と、
自装置に対する人の位置を検出する検出部と、
前記省電力モードのときに、自装置を含む領域として自装置の外側に設定した第２の検知領域に人が入ったことが検出された場合、前記電力供給部を制御することで前記通常モードに変更する制御部と、
を備えた画像形成装置であって、
前記通信部は他の画像形成装置から、該他の画像形成装置の優先使用度のランクと電力供給モードの設定状態を受信し、
前記制御部は、自装置および前記他の画像形成装置の電力供給モードがともに前記省電力モードのときに、自装置の前記第２の検知領域と前記他の画像形成装置の第２の検知領域が重複する重複領域に人が入ったと判断した場合、自装置と前記他装置の前記優先使用度のランクを比較し、自装置の優先使用度のランクの方が高い場合は電力供給モードを前記通常モードに変更し、高くない場合は前記省電力モードを維持する、画像形成装置。
【請求項６】
さらに、自装置の外側の床面方向に光を照射する光照射部を備え、
前記制御部は、前記第２の検知領域の外側に設定した第１の検知領域に人が入ったことが検出された場合、前記光照射部により前記第２の検知領域の範囲を示すように光を照射させる、請求項５に記載の画像形成装置。
【請求項７】
前記通信部は、前記他の画像形成装置から該他の画像形成装置の第２の検知領域で人が検出されたか否かの情報を受信し、
前記制御部は、自装置の前記第２の検知領域と、前記他の画像形成装置の第２の検知領域に同時に人が入ったことが検出された場合に、前記重複領域に人が入ったと判断する、請求項５または請求項６に記載の画像形成装置。
【請求項８】
前記画像形成装置の消耗品の残量または交換部品の使用量に応じて、前記優先使用度のランクを変更する、請求項５〜請求項７のいずれか１つに記載の画像形成装置。
【請求項９】
画像形成部と、
自装置に対する人の接近を検出する検出部と、
前記画像形成部で画像形成可能な電力を供給する通常モードと、該通常モードよりも消費電力が低い省電力モードを少なくとも含む複数の電力供給モードの中から何れかの電力供給モードを設定する電力供給部と、
通信部と、
前記省電力モードのときに、前記検出部により人の接近が検出された場合、前記電力供給部を制御することで前記通常モードに変更する制御部と、
を備えた画像形成装置であって、
前記通信部は他の画像形成装置から、電力供給モードの設定状態、および検出部による検出状態を受信し、
前記制御部は、自装置および前記他の画像形成装置の電力供給モードがともに前記省電力モードのときに、自装置のみが人の接近を検出した場合、前記省電力モードから前記通常モードへの変更を行い、自装置と前記他の画像形成装置がともに人の接近を検出した場合、前記省電力モードを維持する、画像形成装置。
【請求項１０】
複数の画像形成装置を、画像形成可能な電力を供給する通常モードよりも消費電力が低い省電力モードに設定するステップと、
検出部により前記画像形成装置に対する人の位置を検出するステップと、
それぞれの前記画像形成装置を含む領域として該画像形成装置の外側に設定された第２の検知領域が、前記複数の画像形成装置どうしで重なる重複領域に人が入ったことが検出されたか否かを判断するステップと、
前記重複領域に人が入った場合に、前記複数の画像形成装置の優先使用度に応じていずれか１つの画像形成装置を前記省電力モードから前記通常モードに変更し、該画像形成装置以外の他の画像形成装置は前記省電力モードを維持するステップと、
を含む、電力制御方法。
【請求項１１】
それぞれの前記画像形成装置は、自装置の外側の床面方向に光を照射する光照射部を有し、
前記第２の検知領域の外側に設定された第１の検知領域に人が入ったことが検出された場合に、前記光照射部により前記第２の検知領域の範囲を示すように光を照射するステップを含む、請求項１０に記載の電力制御方法。
【請求項１２】
前記画像形成装置の消耗品の残量または交換部品の使用量に応じて、前記優先使用度を変更する、請求項１０または請求項１１に記載の電力制御方法。
【請求項１３】
複数の画像形成装置を、画像形成可能な電力を供給する通常モードよりも消費電力が低い省電力モードに設定するステップと、
検出部により前記画像形成装置に対する人の接近を検出するステップと、
前記複数の画像形成装置について同時に人の接近を検出した場合には、いずれの画像形成装置も省電力モードを維持し、いずれか１つの画像形成装置のみについて人の接近を検出した場合には、該１つの画像形成装置の電力供給モードを前記通常モードに変更するステップと、
を含む、電力制御方法。
【請求項１４】
コンピューターに請求項１０〜請求項１３のいずれか１つに記載の電力制御方法を実行させるように構成される、電力制御プログラム。
【発明の詳細な説明】
【技術分野】
【０００１】
本発明は、画像形成装置、画像形成システム、電力制御方法、および電力制御プログラムに関する。
【背景技術】
【０００２】
コピー機、プリンタ、ファクシミリ、さらにはこれらの装置の機能を集約したＭＦＰ（Ｍｕｌｔｉ  Ｆｕｎｃｔｉｏｎ  Ｐｅｒｉｐｈｅｒａｌｓ）と称される多機能デジタル複合機等の画像形成装置において、省電力モードを備えたものがある。省電力モードとは、装置が使用されていない時の電力の消費量を削減するために、必要な一部の機能構成部に電力を供給し、それ以外の機能構成部への電力の供給を遮断するものである。
【０００３】
また、省電力モードから、省電力モードにおいて電力が遮断されていた機能構成部に電力を供給する通常モードへの復帰を迅速に行うために、装置本体に設けた人感センサーの検出結果に基づいて復帰を行う画像形成装置がある。
【０００４】
しかし、このような画像形成装置では、使おうとする意図がないにもかかわらずユーザーが画像形成装置の傍を通った場合であってもユーザーの意図に反して省電力モードが解除される場合がある。この場合、通常モードへ復帰する際に無駄な電力が消費されることになる。特許文献１ではこのような問題に対して、人感センサーの検出範囲を操作パネルへの操作履歴と人感センサーの検出履歴に基づいて調整している。
【先行技術文献】
【特許文献】
【０００５】
【特許文献１】特開２０１３−２３０６８８号公報
【発明の概要】
【発明が解決しようとする課題】
【０００６】
一方で大規模なオフィスでは、複数の画像形成装置を隣接して配置する場合がある。このような場合、隣接する画像形成装置間で人感センサーの検出範囲がどのような位置関係にあるのかを認識することが困難である。また検出範囲が交差しているような場合、ユーザーがそのうちの１台の画像形成装置を使用したくても、意図に反してその画像形成装置以外の装置をも通常モードに復帰させてしまうことも生じかねない。
【０００７】
本発明は、上記事情に鑑みてなされたものであり、複数の画像形成装置が隣接して配置されている場合に、画像形成装置が必要以上に省エネモードから解除することを抑制することにより、意図せず画像形成装置を通常モードに復帰させてしまうことによる消費電力の増加を防止することを目的とする。
【課題を解決するための手段】
【０００８】
本発明の上記目的は、下記の手段によって達成される。
【０００９】
（１）画像形成部と、
前記画像形成部で画像形成可能な電力を供給する通常モードと、該通常モードよりも消費電力が低い省電力モードを少なくとも含む複数の電力供給モードの中から何れかの電力供給モードを設定する電力供給部と、
をそれぞれ備えた複数の画像形成装置と、
前記画像形成装置に対する人の位置を検出する検出部と、
前記複数の画像形成装置の優先使用度を保持するメモリと、
前記省電力モードのときに、それぞれの前記画像形成装置を含む領域として該画像形成装置の外側に設定された第２の検知領域に人が入ったことが検出された場合、人が入ったことが検出された該画像形成装置について、前記電力供給部を制御することで前記通常モードに変更する制御部と、を備えた画像形成システムであって、
前記制御部は、前記検出部の検出に基づいて、ともに前記省電力モードに設定されている前記複数の画像形成装置の前記第２の検知領域が重複する重複領域に人が入ったと判断した場合、前記複数の画像形成装置の優先使用度に応じていずれか１つの画像形成装置を前記省電力モードから前記通常モードに変更させ、該画像形成装置以外の他の画像形成装置は前記省電力モードを維持させる、画像形成システム。
【００１０】
（２）それぞれの前記画像形成装置は、自装置の外側の床面方向に光を照射する光照射部を備え、
前記制御部は、前記第２の検知領域の外側に設定した第１の検知領域に人が入ったことが検出された場合、前記光照射部により前記第２の検知領域の範囲を示すように光を照射させる、上記（１）に記載の画像形成システム。
【００１１】
（３）前記画像形成装置の消耗品の残量または交換部品の使用量に応じて、前記優先使用度を変更する、上記（１）または上記（２）に記載の画像形成システム。
【００１２】
（４）画像形成部と、
前記画像形成部で画像形成可能な電力を供給する通常モードと、該通常モードよりも消費電力が低い省電力モードを少なくとも含む複数の電力供給モードの中から何れかの電力供給モードを設定する電力供給部と、
をそれぞれ備えた複数の画像形成装置と、
前記画像形成装置に対する人の接近を検出する検出部と、
前記省電力モードのときに、前記検出部により前記画像形成装置に対する人の接近が検出された場合、人の接近が検出された該画像形成装置について、前記電力供給部を制御することで前記通常モードに変更する制御部と、を備えた画像形成システムであって、
前記制御部は、前記複数の画像形成装置がともに前記省電力モードのときに、該複数の画像形成装置について同時に人の接近を検出した場合には、いずれの画像形成装置も前記省電力モードを維持させ、いずれか１つの画像形成装置のみについて人の接近を検出した場合には、該１つの画像形成装置の電力供給モードを前記通常モードに変更させる制御部と、
を備える画像形成システム。
【００１３】
（５）画像形成部と、
前記画像形成部で画像形成可能な電力を供給する通常モードと、該通常モードよりも消費電力が低い省電力モードを少なくとも含む複数の電力供給モードの中から何れかの電力供給モードを設定する電力供給部と、
優先使用度を保持するメモリと、
通信部と、
自装置に対する人の位置を検出する検出部と、
前記省電力モードのときに、自装置を含む領域として自装置の外側に設定した第２の検知領域に人が入ったことが検出された場合、前記電力供給部を制御することで前記通常モードに変更する制御部と、
を備えた画像形成装置であって、
前記通信部は他の画像形成装置から、該他の画像形成装置の優先使用度のランクと電力供給モードの設定状態を受信し、
前記制御部は、自装置および前記他の画像形成装置の電力供給モードがともに前記省電力モードのときに、自装置の前記第２の検知領域と前記他の画像形成装置の第２の検知領域が重複する重複領域に人が入ったと判断した場合、自装置と前記他装置の前記優先使用度のランクを比較し、自装置の優先使用度のランクの方が高い場合は電力供給モードを前記通常モードに変更し、高くない場合は前記省電力モードを維持する、画像形成装置。
【００１４】
（６）さらに、自装置の外側の床面方向に光を照射する光照射部を備え、
前記制御部は、前記第２の検知領域の外側に設定した第１の検知領域に人が入ったことが検出された場合、前記光照射部により前記第２の検知領域の範囲を示すように光を照射させる、上記（５）に記載の画像形成装置。
【００１５】
（７）前記通信部は、前記他の画像形成装置から該他の画像形成装置の第２の検知領域で人が検出されたか否かの情報を受信し、
前記制御部は、自装置の前記第２の検知領域と、前記他の画像形成装置の第２の検知領域に同時に人が入ったことが検出された場合に、前記重複領域に人が入ったと判断する、上記（５）または上記（６）に記載の画像形成装置。
【００１６】
（８）前記画像形成装置の消耗品の残量または交換部品の使用量に応じて、前記優先使用度のランクを変更する、上記（５）〜上記（７）のいずれか１つに記載の画像形成装置。
【００１７】
（９）画像形成部と、
自装置に対する人の接近を検出する検出部と、
前記画像形成部で画像形成可能な電力を供給する通常モードと、該通常モードよりも消費電力が低い省電力モードを少なくとも含む複数の電力供給モードの中から何れかの電力供給モードを設定する電力供給部と、
通信部と、
前記省電力モードのときに、前記検出部により人の接近が検出された場合、前記電力供給部を制御することで前記通常モードに変更する制御部と、
を備えた画像形成装置であって、
前記通信部は他の画像形成装置から、電力供給モードの設定状態、および検出部による検出状態を受信し、
前記制御部は、自装置および前記他の画像形成装置の電力供給モードがともに前記省電力モードのときに、自装置のみが人の接近を検出した場合、前記省電力モードから前記通常モードへの変更を行い、自装置と前記他の画像形成装置がともに人の接近を検出した場合、前記省電力モードを維持する、画像形成装置。
【００１８】
（１０）複数の画像形成装置を、画像形成可能な電力を供給する通常モードよりも消費電力が低い省電力モードに設定するステップと、
検出部により前記画像形成装置に対する人の位置を検出するステップと、
それぞれの前記画像形成装置を含む領域として該画像形成装置の外側に設定された第２の検知領域が、前記複数の画像形成装置どうしで重なる重複領域に人が入ったことが検出されたか否かを判断するステップと、
前記重複領域に人が入った場合に、前記複数の画像形成装置の優先使用度に応じていずれか１つの画像形成装置を前記省電力モードから前記通常モードに変更し、該画像形成装置以外の他の画像形成装置は前記省電力モードを維持するステップと、
を含む、電力制御方法。
【００１９】
（１１）それぞれの前記画像形成装置は、自装置の外側の床面方向に光を照射する光照射部を有し、
前記第２の検知領域の外側に設定された第１の検知領域に人が入ったことが検出された場合に、前記光照射部により前記第２の検知領域の範囲を示すように光を照射するステップを含む、上記（１０）に記載の電力制御方法。
【００２０】
（１２）前記画像形成装置の消耗品の残量または交換部品の使用量に応じて、前記優先使用度を変更する、上記（１０）または上記（１１）に記載の電力制御方法。
【００２１】
（１３）複数の画像形成装置を、画像形成可能な電力を供給する通常モードよりも消費電力が低い省電力モードに設定するステップと、
検出部により前記画像形成装置に対する人の接近を検出するステップと、
前記複数の画像形成装置について同時に人の接近を検出した場合には、いずれの画像形成装置も省電力モードを維持し、いずれか１つの画像形成装置のみについて人の接近を検出した場合には、該１つの画像形成装置の電力供給モードを前記通常モードに変更するステップと、
を含む、電力制御方法。
【００２２】
（１４）コンピューターに上記（１０）〜上記（１３）のいずれか１つに記載の電力制御方法を実行させるように構成される、電力制御プログラム。
【発明の効果】
【００２３】
本願発明によれば、複数の画像形成装置間で第２の検知領域が重複する重複領域で人が検出された場合に、優先使用度に応じて必要な１台のみを省エネモードから解除することで、同時に複数の画像形成装置を通常モードに復帰させてしまうことによる消費電力の増加を防止することができる。
【図面の簡単な説明】
【００２４】
【図１】実施形態に係る画像形成システム１０の構成を示す図である。
【図２】画像形成装置１００ａ、１００ｂのハードウェア構成を示すブロック図である。
【図３】画像形成装置１００の検知範囲を説明するための概略図であり、画像形成装置１００を装置上方から見た様子を示す。
【図４】２台の画像形成装置１００の第２の検知領域Ｄ２が重複する重複領域Ｄ３を説明する図である。
【図５】第１の実施形態に係る画像形成システム１０が行う制御を示すフローチャートである。
【図６】図５に対応した人Ｐの動き、および画像形成システム１０の動作を説明する図である。
【図７】変形例１に係る優先使用度のランクの変更、更新に関するフローチャートである。
【図８】第２の実施形態に係る画像形成装置１００が行う制御を示すフローチャートである。
【図９】第３、第４の実施形態に係る画像形成装置１００ｃの概略構成を示すブロック図である。
【図１０】第３の実施形態に係る画像形成システム１０が行う制御を示すフローチャートである。
【図１１】第４の実施形態に係る画像形成装置１００が行う制御を示すフローチャートである。
【図１２】変形例４に係る画像形成システム１０の構成を示す図である。
【発明を実施するための形態】
【００２５】
以下、添付した図面を参照して、本発明の実施形態を説明する。なお、図面の説明において同一の要素には同一の符号を付し、重複する説明を省略する。また、図面の寸法比率は、説明の都合上誇張されており、実際の比率とは異なる場合がある。
【００２６】
図１は、実施形態に係る画像形成システム１０の構成を示す図である。同図に示す画像形成システム１０は、２台の画像形成装置１００ａ、１００ｂから構成されている。または画像形成装置１００ａ、１００ｂは、インターネット、ＬＡＮ（Ｌｏｃａｌ Ａｒｅａ Ｎｅｔｗｏｒｋ）、ＷＡＮ（Ｗｉｄｅ Ａｒｅａ Ｎｅｔｗｏｒｋ）等のネットワークＮを介して相互に接続されている。また画像形成装置１００ａ、１００ｂは一つの部屋Ａの中で隣接して配置されている。なお、画像形成装置１００の台数は２台に限られず、３台以上であってもよい。なお以降においては、複数の装置のうち特定の装置を示す場合には画像形成装置１００ａまたは画像形成装置１００ｂのように数字の符号の後にアルファベットを付して表記し、包括的な概念で装置を示す場合には画像形成装置１００のように、アルファベットを付さずに表記する。
【００２７】
図２は、画像形成装置１００のハードウェア構成を示すブロック図である。同図に示すように、画像形成装置１００は、制御部１１０、メモリ１２０、撮像装置１３０、光照射部１４０、電力供給部１５０、画像形成部１６０、操作パネル１７０、消耗品管理部１８０、および通信Ｉ／Ｆ１９０を備える。
【００２８】
制御部１１０は、ＣＰＵ１１１、ＲＡＭ１１２、ＲＯＭ１１３等を備え、ＲＯＭ１１３に記憶された各種のプログラムを適宜読み出してＲＡＭ１１２上に展開し、これをＣＰＵ１１１が実行することにより種々の機能を実現する。
【００２９】
メモリ１２０には、半導体メモリやハードディスクドライブ等から構成され各種のデータを記憶する。メモリ１２０には後述する優先使用度が記述されたテーブルや、グルーピングされた他の装置のＩＤや送信アドレス等が記憶されている。
【００３０】
撮像装置１３０は検出部として機能し、撮像センサー１３１を備える。撮像センサー１３１は、例えばＣＣＤイメージセンサ、またはＣＭＯＳイメージセンサであり、カラーまたは白黒のイメージ画像（動画）を出力する。撮像センサー１３１は画像形成装置１００の外装（筐体）の正面側（図１の紙面手前側）に取り付けられている。これにより装置の正面外側から操作パネル１７０に近づいてくるユーザーを撮影可能である。また撮影範囲としては、画像形成装置１００の操作パネル１７０付近を中心として半径数メートルの範囲で人の動きを撮影できることが好ましく、さらには画像形成装置１００が設置されている床面も含めて撮影できることがより好ましい。撮像装置１３０は、ハードウェアあるいはソフトウェアによる画像処理により、撮像センサー１３１が撮影したイメージ画像を処理することによりユーザーの位置を検出する。
【００３１】
光照射部１４０は、半導体レーザー（レーザーポインタ）、ＬＥＤ等の光源１４１と、光源の照射位置を所定範囲内で移動、走査させる可動部１４２を備える。光照射部１４０は、画像形成装置１００が設置されている床面に向けて光を照射する。後述する第２の検知領域の範囲に応じて、その内側あるいはその輪郭を示す境界線に対応する床面を走査させながら光を照射することで、第２の検知領域の範囲をユーザーに示す。
【００３２】
電力供給部１５０は、商用電源（不図示）から供給された電力を、自装置内の各機能構成部に分配する。電力供給部１５０は、予め決められた複数の電力供給モードの中から何れかの電力供給モードを設定する。複数の電力供給モードは、消費量を削減するために一部の機能構成部に電力を供給しそれ以外の機能構成部への電力の供給を遮断する省電力モードと、省電力モードにおいて電力が遮断されていた機能構成部に電力を供給する通常モードを含む。省電力モードにおいては、図２の点線Ｂで囲まれた機能構成部、すなわち制御部１１０、メモリ１２０、撮像装置１３０、光照射部１４０、および通信Ｉ／Ｆ１９０に対して電力を供給する。なお、これ以外に複数段階の電力供給モードとして、省電力モードよりも消費電力をさらに低くした電力供給モードを設定できるようにしてもよい。また通常モードとして、全ての機能構成部に電力を供給する通常モード（第１の通常モード）の他に、第１の通常モードと省電力モードとの間の消費電力となる中間の通常モード（第２、第３の通常モード）を設定できるようにしてもよい。各電力供給モードへの変更は制御部１１０の指示に基づいて行われる。制御部１１０は所定条件を満たす場合には、通常モードを省電力モードに変更する。所定条件としては、例えば通常モードで何ら作動指示がない待機状態が所定時間継続した場合である。この所定条件はメモリ１２０に記憶されており、ユーザーは操作パネル１７０等を介してこの所定条件を変更可能である。
【００３３】
画像形成部１６０は、例えば電子写真方式によりＹ、Ｍ、Ｃ、Ｋの４色のトナーで形成されたトナー画像を用紙上に転写し、これを、ヒーターおよび加熱ローラーを備えた定着部により加熱・加圧処理することで用紙上にフルカラーの画像を形成する。
【００３４】
操作パネル１７０は、例えばＬＣＤの表示面に、タッチセンサーを重畳して配置させたものである。画像形成装置１００の正面側に配置されており、ユーザーによる各種操作を受け付ける。
【００３５】
消耗品管理部１８０は、画像形成装置１００で消費する消耗品の消費量や交換部品の使用量を管理する。例えば給紙残量検知部１８１によって、複数枚の用紙を収納し、１枚ずつ画像形成部１６０に給紙して搬送する給紙トレイの用紙残量を検知する。またトナー残量検知部１８２によって、画像形成部１６０で消費されるトナーを収納し、供給するトナータンクのトナー残量を検知する。または寿命が設定され、所定使用量毎に交換が必要となる感光体ドラム、転写ベルト、定着部の加熱ローラー等の交換部品それぞれの交換サイクルまでの使用量（使用回数、使用時間）を管理する。
【００３６】
通信Ｉ／Ｆ１９０は、ネットワークＮを通じて画像形成装置１００ｂ等の他の外部機器とネットワークＮを介して通信するためのインターフェースであり、イーサネット（登録商標）、ＦＤＤＩ、Ｗｉ−Ｆｉ等の規格が用いられる。また、ＢｌｕｅＴｏｏｔｈ（登録商標）、赤外線通信、ＵＳＢ通信のためのインターフェースが設けられてもよい。
【００３７】
（第１、第２の検知領域）
図３は、画像形成装置１００の検知範囲を説明するための概略図であり、画像形成装置１００を装置上方から見た様子を示す。図３（ａ）に示すように画像形成装置１００の周囲には、第１の検知領域Ｄ１と、第２の検知領域Ｄ２が設定されている。撮像装置１３０によって人Ｐの位置が検出されることで、制御部１１０は、人Ｐが各検知領域内のどの位置に居るのかが認識できる。以下、各検知領域について説明する。
【００３８】
省電力モードに設定されているときに外側から第１の検知領域Ｄ１へ人Ｐが入ったことが検出された場合、図３（ｂ）に示すように、光照射部１４０により第２の検知領域Ｄ２に対応する床面への光の照射を開始する。これにより人Ｐ（ユーザー）に第２の検知領域Ｄ２の範囲を知らせる。人Ｐはさらに画像形成装置１００に近づいて第２の検知領域Ｄ２に移動する。人Ｐが第２の検知領域Ｄ２に入ったことを撮像装置１３０が検出した場合、制御部１１０は電力供給部１５０を制御し、電力供給モードを省電力モードから通常モードへの変更を開始（復帰）させる。これにより従来の操作パネル１７０上のボタン等が操作されたことが検出されて初めて通常モードへの変更が開始される場合と比較して、より早い段階で、通常モードへの変更が開始される。これにより使用可能になるまでの待ち時間を短縮できるという効果が期待できる。
【００３９】
また、人Ｐが第１の検知領域Ｄ１に入った段階で、第２の検知領域Ｄ２の範囲を光照射部１４０により照射するので（図３（ｂ））、人Ｐは第２の検知領域Ｄ２に入る前に、この第２の検知領域Ｄ２の範囲を認識できる。このようにすることで、例えば、人Ｐが画像形成装置１００を使用する意思がない場合には、光が照射されている範囲（第２の検知領域）を避けて移動できる。これにより使用しない像形成装置１００を省電力モードから通常モードに変更させないので、電力消費の増加を避けることができる。
【００４０】
このようなことから第２の検知領域Ｄ２は、画像形成装置１００の正面側の操作パネル１７０を中心とした外側に設定することが好ましい。第２の検知領域Ｄ２の形状、広さとしては例えば半径または一辺が数ｍの円形、楕円形、扇形、または矩形である。また第１の検知領域Ｄ１は、第２の検知領域Ｄ２の外側に設けている。第１の検知領域Ｄ１の大きさとしては、第２の検知領域Ｄ２の外側に数ｍの幅を有することが好ましい。
【００４１】
第１、第２の検知領域は、撮像装置１３０で認識可能であれば、３次元的な空間で区画されていてもよい。ただし、光照射部１４０は図３に示すような範囲で床面方向に光を照射することで床面を照らし、第２の検知領域Ｄ２の範囲を人Ｐに示すので、第２の検知領域をこれに合わせて床面に拡がる２次元の領域としてもよい。この場合、床面における人Ｐの立ち位置（足）の検出に応じて、第２の検知領域に入っているか否かを判断する。
【００４２】
（第２の検知領域Ｄ２が重複する重複領域Ｄ３）
図４は、２台の画像形成装置１００の第２の検知領域Ｄ２が重複する重複領域Ｄ３を説明する図である。同図に示す例では、図１と同様に２台の画像形成装置１００ａ、１００ｂどうしを隣接して並べて配置させている。画像形成装置１００ａを含む領域として第１の検知領域Ｄ１ａ、第２の検知領域Ｄ２ａが装置正面（前方）の外側に設定されている。また同様に画像形成装置１００ｂを含む領域として第１の検知領域Ｄ１ｂ、第２の検知領域Ｄ２ｂが装置正面の外側に設定されている。また第１の検知領域Ｄ１ａ、第２の検知領域Ｄ２ａ、第１の検知領域Ｄ１ｂ、第２の検知領域Ｄ２ｂは相互に重なっている。
【００４３】
重複領域Ｄ３の認識、設定は、隣接してグルーピングされている複数の画像形成装置１００ａ、１００ｂどうしで、相互に第２の検知領域の位置、大きさ、範囲の情報を共有することで可能となる。また、互いに連携しながら一方の画像形成装置１００の光照射部１４０が第２の検知領域Ｄ２を示すように床面を照射し、その照射光の照射範囲を他の画像形成装置１００の撮像装置１３０が認識することでも、重複領域Ｄ３を認識、設定できる。
【００４４】
本実施形態は、図４に示すような重複領域Ｄ３に人Ｐが入ったときの電力供給の設定変更の制御を特徴とするものである。以下説明する。
【００４５】
（第１の実施形態の電力供給の設定変更制御）
図５は、第１の実施形態に係る画像形成システム１０が行う制御を示すフローチャートである。図６は、図５に対応した人の動き、および画像形成システム１０の動作を説明する図である。以下、図５、６を参照し、電力供給の設定変更制御について説明する。本制御はあらかじめグルーピングされた複数の画像形成装置１００のうち、いずれか１つの画像形成装置１００の制御部１１０がメインの制御部として、画像形成システム１０の全体を統括的に制御する。なおこのグルーピングはユーザーの設定により行われる。
【００４６】
図１、図４に示す例では、同じ部屋Ａの中で２台の画像形成装置１００ａ、１００ｂが隣接して並べて配置されている。これらの画像形成装置１００ａ、１００ｂの第２の検知領域Ｄ２は重複している（図４、図６参照）。また、このグルーピングの設定をする際に、グルーピングされている複数の画像形成装置１００（画像形成システム１０）を統括的に制御する画像形成装置１００を選定するようにしてもよい。以下の説明においては、２台の画像形成装置１００ａ、１００ｂがグルーピングされており、そのうちの一方の画像形成装置１００ａの制御部１１０が統括的に画像形成システム１０の全体を制御するものとして説明を行う。
【００４７】
図５のステップＳ１０１では、グルーピングされている複数の画像形成装置１００ａ、１００ｂのそれぞれが、待機状態が長時間継続した等の所定条件を満たしたことに応じて自装置を省電力モードに設定する。
【００４８】
ステップＳ１０２では、省電力状態にあるいずれかの画像形成装置１００ａ、１００ｂの第１の検知領域Ｄ１で人Ｐ（ユーザー）を検出したか否かを判断する。ここでは、ステップＳ１０２において、例えば画像形成装置１００ａの第１の検知領域Ｄ１ａで人を検出したとする。続くステップＳ１０３で、光照射部１４０は床面方向に光を照射し、画像形成装置１００ａの第２の検知領域Ｄ２ａの範囲をユーザーに示す（図６（ａ）から図６（ｂ））。
【００４９】
続いて、画像形成装置１００ａの第２の検知領域Ｄ２で人を検出した場合（Ｓ１０４：ＹＥＳ）、さらにステップＳ１０５で、その検出した位置が重複領域Ｄ３であるか否かを判断する。
【００５０】
図６（ｃ）に示すように検出した位置が重複領域Ｄ３であれば（Ｓ１０５：ＹＥＳ）、優先使用度を比較する。優先使用度のランクはそれぞれの画像形成装置１００のメモリ１２０にあらかじめ保持されているものであり、統括的に全体を制御する画像形成装置１００ａのメモリ１２０に他の画像形成装置１００ｂの優先使用度のランクが定期的に集められ、保持されている。なお、それぞれの画像形成装置１００のランクは、ユーザーにより設定できるようにしてもよい。
【００５１】
【表１】
2016093981.tif 000003
【００５２】
表１は、画像形成装置１００ａのメモリ１２０に集約され、保持されている優先使用度のランクテーブルの例である。数値が小さいほど、優先使用度のランクが高く優先的に使用される。表１に示す例では、２台の中では画像形成装置１００ｂの優先度が最も高いので、画像形成装置１００ａの制御部１１０は、画像形成装置１００ｂの電力供給モードを省電力モードから通常モードに変更（復帰）させる（Ｓ１０６）。なお、このとき画像形成装置１００ａの電力供給モードは省電力モードのまま維持する。
【００５３】
一方で、人を検出した位置が図６（ｄ）に示すように画像形成装置１００ａの重複領域Ｄ３以外の第２の検知領域Ｄ２ａであれば、単に人が検出された第２の検知領域Ｄ２ａに対応する画像形成装置１００ａの電力供給モードを省電力モードから通常モードに変更（復帰）する（Ｓ１０７）。
【００５４】
このように省電力モードに設定されている複数の画像形成装置１００間で第２の検知領域Ｄ２が重複する重複領域Ｄ３への人の移動が検出された場合に、１台の画像形成装置１００のみ通常モードに変更するよう制御することで、不用意に複数の画像形成装置１００を通常モードに復帰させてしまうことによる消費電力の増加を防止することが可能となる。
【００５５】
（変形例１）
図７は、変形例１に係る優先使用度のランクの変更、更新に関するフローチャートである。優先使用度のランクは前述したように、それぞれの画像形成装置１００のメモリ１２０に保持されている。
【００５６】
図７のステップＳ２０１では、画像形成装置１００の制御部１１０は、消耗品管理部１８０から送られてきた信号により消耗品の残量が少ないか否か、または交換部品の交換時期が近いか否かを判定する。
【００５７】
ここで、消耗品の残量が少ないとは、例えば給紙トレイに収納している用紙、画像形成部１６０にトナーを供給するトナータンクのトナー等の消耗品の残量が所定値以下（残量なしを含む）になったことを示す信号が出力された場合である。交換部品の交換時期が近いとは、例えば感光体ドラム、転写ベルト、加熱ローラー等の交換部品の使用量が、交換サイクルの９０％以上に到達した信号が出力された場合である。
【００５８】
ステップＳ２０１を満たす場合（Ｙｅｓ）、画像形成装置１００の制御部１１０は、一時的に優先使用度を低いランクに変更、更新する（Ｓ２０２）。
【００５９】
【表２】
2016093981.tif 000004
【００６０】
表２は、画像形成装置１００ａのメモリ１２０に集約され、保持されている変更前後の優先使用度のランクテーブルの例である。画像形成装置１００ａは変更はないが、画像形成装置１００ｂは消耗品の残量が少ないので優先使用度のランクを１から３に変更している。この優先使用度のランクの変更にともなって、相対的に画像形成装置１００ａの方が画像形成装置１００ｂよりも優先使用度のランクが高くなる。この状態で重複領域Ｄ３に人が移動した場合には、より高ランクの画像形成装置１００ａが優先的に、通常モードへ変更される（図５のＳ１０６）。なお、この変更、更新は消耗品の残量が少ない状態や交換部品の交換時期が近い状態が、補給等により解除された場合には、優先使用度のランクを元の数値に戻すように制御する。なお、ランクの変更量は、所定のランク数（例えば「２」）を加算するようにしているが、同時に複数の消耗品の残量が少なくなったり、複数の交換部品が、交換時期が近くなったりした場合には、その数に応じて、加算するランク数に係数を乗ずるようにしてもよい。
【００６１】
このように優先使用度のランクを画像形成装置１００の状態に応じて適宜、変更、更新することで、使用するに適した画像形成装置１００を優先的に省電力モードから通常モードに復帰させることが可能となる。
【００６２】
（第２の実施形態の電力供給モードの設定変更制御）
図８は、第２の実施形態に係る画像形成装置１００が行う制御を示すフローチャートである。同図に示す制御フローは、グルーピングされた２台の画像形成装置１００ａ、１００ｂのうち一方の装置が他の装置と連携して実行する制御である。以下、このうちの画像形成装置１００ａ（以下、本実施形態の説明においては「自装置」という）が実行するものとして説明する。
【００６３】
図８のステップＳ３０１では、待機状態が長時間継続した等の所定条件を満たすことによって、自装置を省電力モードに設定する。
【００６４】
省電力状態において、第１の検知領域Ｄ１ａで人（ユーザー）を検出したと判断した場合には、光照射部１４０により床面方向に光を照射し、第２の検知領域Ｄ２ａの範囲をユーザーに示す（Ｓ３０２、Ｓ３０３）。
【００６５】
その後、自装置は、グルーピングされている他の画像形成装置１００ｂに通信Ｉ／Ｆ１９０を介して他の画像形成装置１００ｂに関する情報の送信要求を送信し（Ｓ３０４）、この送信要求への返答を他の画像形成装置１００ｂから受信する（Ｓ３０５）。この受信データには、他の画像形成装置１００ｂの現在の電力供給モードの状態、および他の画像形成装置１００ｂの現在の優先使用度のランクの情報が少なくとも含まれている。
【００６６】
続いて、自装置の第２の検知領域Ｄ２ａで人を検出した場合（Ｓ３０６：ＹＥＳ）、さらに他の画像形成装置１００ｂも省電力モードであるか否かを判断する（Ｓ３０７）。この判断は、Ｓ３０５での受信データに基づいて行う。
【００６７】
他の画像形成装置１００ｂも省電力モードであれば（Ｓ３０７：ＹＥＳ）、続いて他の画像形成装置１００ｂへ人の検出状態に関する情報の送信要求を行い、この送信要求に対する返答として第２の検知領域Ｄ２ｂ内での人の検出状態の情報を受信する（Ｓ３０８、Ｓ３０９）。
【００６８】
ステップＳ３１０では、ステップＳ３０６で検出された人の位置が、重複領域Ｄ３であるか否かを判断する。これはＳ３０９での受信データに基づいて判断する。すなわち、他の画像形成装置１００ｂでも第２の検知領域Ｄ２ｂへの人の移動が検出されたのであれば、Ｓ３０６で検出された人の位置は、第２の検知領域Ｄ２ａのうちの重複領域Ｄ３の中であると判断する（Ｓ３１０：ＹＥＳ）。
【００６９】
続くステップＳ３１１では、Ｓ３０５で受信した他の画像形成装置１００ｂの優先使用度のランクと、自装置の優先使用度のランクとを比較し、自装置の方が優先使用度のランクが高ければ（Ｓ３１１：ＹＥＳ）、自装置の電力供給モードを省電力モードから通常モードに変更する（Ｓ３１２）。
【００７０】
一方で、自装置の方が優先使用度のランクが高くなければ（Ｓ３１１：ＮＯ）、省電力モードを維持させる（Ｓ３１３）。この場合、優先使用度のランクが高い他の画像形成装置１００ｂの電力供給モードが省電力モードから通常モードに変更されることになる。なお、両装置が同じ優先使用度のランクであればいずれの装置も省電力モードを維持するようにしてもよい。その一方で図８に示すように、他の画像形成装置１００ｂが省電力モードでない場合（Ｓ３０７：ＮＯ）、または検出された人の位置が、重複領域Ｄ３でない場合（Ｓ３０５：ＮＯ）にも、自装置の電力供給モードを省電力モードから通常モードに変更する（Ｓ３１２）。
【００７１】
このように自装置と他の装置とがともに省電力モードに設定されているときに、重複領域Ｄ３への人の移動が検出された場合に、他の装置との優先使用度ランクの比較結果に応じて、自装置を省電力モードから復帰させるか否かを判断することで、不用意に通常モードに復帰させてしまうことによる消費電力の増加を防止することが可能となる。
【００７２】
（変形例２）
図８のステップＳ３１０では、自装置と他の装置の両方で、第２の検知領域Ｄ２に人が入ったことが検出されたことに応じて、人が位置する第２の検知領域Ｄ２は、重複領域Ｄ３でもあると判断していたが、これ以外の方法で判断してもよい。例えば、第１の実施形態の一実施例のように、光照射部１４０による照射光を用いて重複領域Ｄ３を認識するようにしてもよい。すなわち２台の装置が同期をとりながら、他の装置が床面に光を照射し、その照射光を自装置の撮像装置１３０で撮影することで他の装置の第２の検知領域Ｄ２の範囲を認識する。これにより自装置の第２の検知領域Ｄ２との重複領域Ｄ３を認識することができる。以降はその認識した重複領域Ｄ３に人が入ったか否かを自装置の撮像装置１３０の検出結果のみにより判断できる。
【００７３】
（変形例３）
また、図８のステップＳ３０４―Ｓ３０５では、送信要求に応じて、他の装置は電力供給モードの状態、および優先使用度のランクの情報等を送信していたが、これに限られず、この送信要求に加えてあるいは送信要求に替えて、定期的にこれらの情報を送信するようにしてもよく、また送信要求がなくてもこれらの情報が変化したタイミングで自発的にグルーピングされた他の装置に送信するようにしてもよい。同ステップＳ３０８―Ｓ３０９の送受信に関しても同様である。
【００７４】
（第３、４の実施形態）
次に、第３、４の実施形態について説明する。図９は、第３、第４の実施形態に係る画像形成装置１００ｃの概略構成を示すブロック図である。同図に示す構成以外は、図１等に示した第１、第２の実施形態と同様の構成を備えている。また、図１、２と共通する構成については、同じ符号を付すことにより説明を省略する。
【００７５】
画像形成装置１００ｃは、第１、第２の実施形態に係る画像形成装置１００ａ、１００ｂと異なり、撮像装置１３０に替えて人感センサー１３５を備えている。検出部として機能する人感センサー１３５は、画像形成装置１００ｃへのユーザーの接近を検出（検知）する。人感センサー１３５としては例えば、焦電型センサーを用いる。焦電型センサーは、センサーの検知範囲に人が移動してきた場合に、移動する人の露出部位（顔、腕の表面）等の熱源から受ける熱量の変化を検知するものである。本実施形態では、画像形成装置１００ｃの正面側が検知範囲となるように人感センサー１３５を取り付けており、この検知範囲内での人の有／無の信号を出力する。
【００７６】
（第３の実施形態の電力供給モードの設定変更制御）
図１０は、第３の実施形態に係る画像形成システム１０が行う制御を示すフローチャートである。本制御は第１の実施形態と同様にあらかじめグルーピングされた複数の画像形成装置１００のうち、いずれか１つの画像形成装置１００の制御部１１０がメインの制御部として、画像形成システム１０の全体を統括的に制御する。
【００７７】
図１０のステップＳ４０１では、グルーピングされた複数の画像形成装置１００ａ、１００ｂのそれぞれが、待機状態が長時間継続した等の所定条件を満たしたことに応じて省電力モードに設定する。
【００７８】
続くステップＳ４０２で、省電力状態にあるいずれかの画像形成装置１００で、人感センサー１３５により装置への人の接近を検出したか否かを判断する。例えば一方の画像形成装置１００ａ（または１００ｂ）の人感センサー１３５により人の接近を検出した場合（Ｓ４０２：ＹＥＳ）、他の画像形成装置１００ｂ（または１００ａ）の人感センサー１３５でも同様に人の接近を検出したか否かを判断し、２台の画像形成装置１００ａ、１００ｂで同時に人の接近を検出している場合には（Ｓ４０３：ＹＥＳ）、両方の画像形成装置１００ａ、１００ｂの電力供給モードを省電力モードのまま維持させる（Ｓ４０４）。
【００７９】
一方で、他の画像形成装置１００ｂで人の接近が検出されなかった場合には（Ｓ４０３：ＮＯ）、人の接近を検出した画像形成装置１００ａの電力供給モードを省電力モードから通常モードに変更する（Ｓ４０５）。
【００８０】
このように省電力モードに設定されている複数の画像形成装置１００間で同時に人の接近を検出した場合に、ともに通常モードに復帰させずに省電力モードを維持させるように制御することで、同時に複数の画像形成装置を通常モードに復帰させてしまうことによる消費電力の増加を防止することが可能となる。
【００８１】
（第４の実施形態の電力供給モードの設定変更制御）
図１１は、第４の実施形態に係る画像形成装置１００が行う制御を示すフローチャートである。同図に示す制御フローは、第２の実施形態と同様にグルーピングされた２台の画像形成装置１００ａ、１００ｂのうち一方の装置が他の装置と連携して実行する制御である。以下においては、このうちの画像形成装置１００ａ（以下、本実施形態の説明においては「自装置」という）が実行するものとして説明する。
【００８２】
図１１のステップＳ５０１では、自装置は、待機状態が長時間継続した等の所定条件を満たすことによって、自装置を省電力モードに設定する。
【００８３】
省電力状態において、人感センサー１３５により人の接近を検出した場合には（Ｓ５０２：ＹＥＳ）、他の画像形成装置１００ｂに対して通信Ｉ／Ｆ１９０を介した送信要求を行う。この送信要求への返答を他の画像形成装置１００ｂから受信する（Ｓ５０４）。このときの受信データには、他の画像形成装置１００ｂの現在の電力供給モードの状態、および他の画像形成装置１００ｂの人感センサー１３５による人の接近の有／無に関する検出状態が含まれている。
【００８４】
この受信データに基づいて、他の画像形成装置１００ｂの電力供給モードの状態が省電力モードであり（ステップＳ５０５：ＹＥＳ）、他の画像形成装置１００ｂでも同時に人の接近を検出していると判断した場合には（ステップＳ５０６：ＹＥＳ）、自装置の電力供給モードを省電力モードのまま維持する（Ｓ５０７）。一方で、受信データに基づいて、他の画像形成装置１００ｂの電力供給モードの状態が省電力モードではなく、または人の接近を検出していないと判断した場合には、自装置の電力供給モードを省電力モードから通常モードに変更する（Ｓ５０８）。
【００８５】
このように自装置と他の装置とがともに省電力モードに設定されているときに、自装置と他の装置が同時に人の接近を検出した場合には、自装置を通常モードに復帰させずに省電力モードを維持させるように制御することで、不用意に通常モードに復帰させてしまうことによる消費電力の増加を防止することが可能となる。
【００８６】
（変形例４）
図１２は、変形例４に係る画像形成システム１０の構成を示す図である。図１２に示す変形例は、画像形成装置１００ｄ、１００ｅには撮像装置は設けられておらず、システムとして１つの撮像装置１３０を備え、これにより得られた画像に基づいて全体を制御するものである。制御端末２００は、例えばＣＰＵ、ＲＡＭ、ＲＯＭ等を備えたパーソナルコンピューターであり、ＲＯＭに記憶された各種のプログラムを適宜読み出してＲＡＭ上に展開し、これをＣＰＵが実行することにより種々の機能を実現する。制御端末２００には撮像装置１３０が接続されている。撮像装置１３０、画像形成装置１００ｄ、１００ｅは同じ部屋Ａの中に配置されており、１台の撮像装置１３０により、複数の画像形成装置１００に近づいてくる人（ユーザー）の位置を検出する。撮像装置１３０は、いずれかの画像形成装置１００の正面側に図１と同様に外側に向けて取付けてもよく、または反対側から画像形成装置１００の正面側を撮影できるようにしてもよい。また２台の画像形成装置１００を俯瞰できるように、部屋Ａの天井から下方に向けて取り付けてもよい。
【００８７】
制御端末２００は、撮像装置１３０が撮影した画像により、画像形成装置１００の周囲に設定した第１の検知領域Ｄ１と、第２の検知領域Ｄ２（図３等参照）に人が移動したか否かを判断する。その判断結果に応じてネットワークＮを介して複数の画像形成装置１００を含む画像形成システム１０の全体を統括的に制御する。制御の内容は、前述した図５、図８で示したような制御を適用できる。
【００８８】
（変形例５）
図７で示した優先使用度のランクを、画像形成装置１００ａの状態により更新する例を示したが、これを第２の実施形態（図８等を参照）に適用してもよい。また優先使用度のランクは、操作パネル１７０等を介してユーザーによっても設定、更新が可能であるが、これをグルーピングされた画像形成装置１００間の使用状況に応じて、制御部１１０側で設定、変更するようにしてもよい。例えば、グルーピングされた画像形成装置間で使用頻度がより高い装置の優先使用度のランクを高くする。またこの使用頻度をユーザー毎に管理し、ユーザーＩＤ毎に設けた優先使用度のランクを用いてもよい。ユーザーＩＤの認識は、ユーザーが携帯する無線タグ（ＩＣタグ）により認識するようにしてもよく、撮像装置１３０が撮影したユーザーの顔から抽出した特徴点のマッチングによりユーザーを認識するようにしてもよい。
【００８９】
（変形例６）
図５、６に示した第１の実施形態では、ユーザーは、重複領域Ｄ３に移動することにより、優先使用度が高い方の画像形成装置１００を省電力モードから通常モードに変更させることが可能であるが、この優先使用度が高い方の画像形成装置１００を事前にユーザーに示すようにしてもよい。例えば、複数の画像形成装置１００のそれぞれの外装にＬＥＤを設け、２つの第１の検知領域Ｄ１が重複する重複領域Ｄ４（図６の（Ｃ）参照）にユーザーが移動したことを検出するに応じて、優先使用度が高い方の画像形成装置１００のＬＥＤを点灯、点滅させるようにしてもよい。また、優先使用度が低い方の画像形成装置１００では、その装置の第２の検知領域Ｄ２から重複領域Ｄ３を除外した範囲を光照射部１４０によって照射するようにしてもよい。これにユーザーは、より精度よく、使う意図がない画像形成装置１００を通常モードに復帰させてしまうことによる消費電力の増加を防止することが可能となる。
【００９０】
（変形例７）
本発明によるコンピューターにより実行されるプログラムは、ＵＳＢメモリやＣＤ−ＲＯＭ等のコンピューター読み取り可能な記録媒体によって提供されてもよいし、インターネット等のネットワークを介してオンラインで提供されてもよい。この場合、コンピューター読み取り可能な記録媒体に記録されたプログラムは、通常、ＲＯＭやハードディスク等に転送され記憶される。また、このプログラムは、たとえば、単独のアプリケーションソフトとして提供されてもよいし、画像形成装置の一機能としてその装置のソフトウェアに組み込んでもよい。
【符号の説明】
【００９１】
１０  画像形成システム
１００、１００ａ、１００ｂ、１００ｃ、１００ｄ  画像形成装置
１１０  制御部
１２０  メモリ
１３０  撮像装置（検出部）
１３１  撮像センサー
１３５  人感センサー（検出部）
１４０  光照射部
１４１  光源
１４２  可動部
１５０  電力供給部
１６０  画像形成部
１７０  操作パネル
１８０  消耗品管理部
１９０  通信Ｉ／Ｆ
２００  制御端末
Ａ  部屋
Ｄ１、Ｄ１ａ、Ｄ１ｂ  第１の検知領域
Ｄ２、Ｄ２ａ、Ｄ２ｂ  第２の検知領域
Ｄ３  重複領域（第２の検知領域）
Ｄ４  重複領域（第１の検知領域）
【図１】
2016093981.tif 000005
【図２】
2016093981.tif 000006
【図３】
2016093981.tif 000007
【図４】
2016093981.tif 000008
【図５】
2016093981.tif 000009
【図６】
2016093981.tif 000010
【図７】
2016093981.tif 000011
【図８】
2016093981.tif 000012
【図９】
2016093981.tif 000013
【図１０】
2016093981.tif 000014
【図１１】
2016093981.tif 000015
【図１２】
2016093981.tif 000016